(57)【要約】本発明には、折り畳み端末が開示されており、当該折り畳み端末は、本体と、磁気吸引アセンブリと、磁気緩和アセンブリとを含み、本体は、順次に接続される上部と、折り曲げ部と、下部とを含む。上部と下部との夾角が０度になる場合に、磁気吸引アセンブリは引き合い、上部と下部との夾角が１８０度より大きいか、又は小さい場合に、磁気緩和アセンブリが互いに反発する。本発明により提供される折り畳み端末は、上部及び下部にそれぞれ磁気緩和アセンブリが設けられることにより、下部に対して上部が折り曲げると、使用者は、直ちに磁気緩和アセンブリ間の反発力を感知することができ、折り畳み端末の信頼性が向上する。また、磁気吸引アセンブリがそれぞれ上部と下部との端部に設けられることにより、上部と下部との夾角が０度になる場合に、磁気吸引アセンブリが吸着する。これにより、信頼性が比較的高く、貼り合わせ状態を維持することができる折り畳み端末が提供される。本発明には、もう一つの折り畳み端末が更に開示されている。  【選択図】  図２
2019507406.tif 000002
【特許請求の範囲】
【請求項１】
順次に接続される上部と、折り曲げ部と、下部と、を含む本体と、
前記上部に設けられ、前記折り曲げ部から離れる第１の磁気吸引部材と、前記下部に設けられ、前記折り曲げ部から離れる第２の磁気吸引部材と、を含み、前記上部と前記下部との夾角が０度になる場合に、前記第１の磁気吸引部材と前記第２の磁気吸引部材とが吸引する磁気吸引アセンブリと、
前記上部に設けられ、前記折り曲げ部に近接される第１の磁気緩和部材と、前記下部に設けられ、前記折り曲げ部に近接される第２の磁気緩和部材と、を含み、前記上部と前記下部との夾角が１８０度より大きいか、又は小さい場合に、前記第１の磁気緩和部材と前記第２の磁気吸引部材とが互いに反発する磁気緩和アセンブリとを含むことを特徴とする折り畳み端末  
【請求項２】
前記折り畳み端末は、前記本体の表面に設けられるフレキシブルスクリーンアセンブリをさらに含むことを特徴とする請求項１に記載の折り畳み端末。
【請求項３】
前記磁気吸引アセンブリ及び／又は前記磁気緩和アセンブリは、前記本体に貼り付けられていることを特徴とする請求項１に記載の折り畳み端末。  
【請求項４】
前記第１の磁気吸引部材は、間隔をあけて設けられている第１の貼り合わせ部と第２の貼り合わせ部と、を含み、  前記第２の磁気吸引部材は、前記第１の貼り合わせ部及び／又は前記第２の貼り合わせ部に貼り合わせられていることを特徴とする請求項１に記載の折り畳み端末。  
【請求項５】
前記第１の磁気吸引部材が長尺状をなすことを特徴とする請求項４に記載の折り畳み端末。  
【請求項６】
前記第２の磁気吸引部材は、間隔をあけて設けられる第３の貼り合わせ部と第４の貼り合わせ部とを含み、  前記第１の磁気吸引部材は、前記第３の貼り合わせ部及び／又は前記第４の貼り合わせ部に貼り合わせられていることを特徴とする請求項１又は４に記載の折り畳み端末。  
【請求項７】
前記第２の磁気吸引部材が長尺状をなすことを特徴とする請求項６に記載の折り畳み端末。  
【請求項８】
前記折り畳み端末は、それぞれ前記第１の磁気吸引部材と、前記第２の磁気吸引部材と、前記第１の磁気緩和部材と、前記第２の磁気緩和部材との周面を取り囲んで設けられる四つの強磁気遮蔽部材と、をさらに含むことを特徴とする請求項１に記載の折り畳み端末。  
【請求項９】
前記強磁気遮蔽部材は、フォームと二つの鉄枠ケースとを含み、
一つの前記鉄枠ケースが、もう一つの前記鉄枠ケース内に嵌め込まれ、
前記フォームが、前記二つの鉄枠ケースの間に挟まれていることを特徴とする請求項８に記載の折り畳み端末。
【請求項１０】
前記強磁気遮蔽部材が防磁カバーであることを特徴とする請求項８に記載の折り畳み端末。
【請求項１１】
前記上部と前記下部との間にフラットケーブルが設けられるか、又は、
前記上部と前記下部との間にフレキシブル回路基板が設けられていることを特徴とする請求項１に記載の折り畳み端末。
【請求項１２】
前記折り曲げ部がシートであり、前記折り曲げ部が上部と下部との間に接続され、前記折り曲げ部と前記フレキシブルスクリーンアセンブリとが離反して設けられていることを特徴とする請求項１に記載の折り畳み端末。  
【請求項１３】
前記折り曲げ部の外面と、前記上部及び前記下部の表面とが同一面であることを特徴とする請求項１２に記載の折り畳み端末。  
【請求項１４】
折り曲げ部と、前記折り曲げ部の対向する両側に接続される上部と下部とを含む本体と、
前記上部の前記折り曲げ部から離れる一端及び前記下部の前記折り曲げ部から離れる一端にそれぞれ設けられるとともに、前記上部と前記下部との貼り合わせ状態を維持するための互いに吸引する二つの磁気吸引部材を含む磁気吸引アセンブリと、
前記上部の前記折り曲げ部に近接される一端及び前記下部の前記折り曲げ部に近接される一端にそれぞれ設けられるとともに、前記上部と前記下部とが互いに接近する時に反発力を提供するための互いに反発する二つの磁気緩和部材を含む磁気緩和アセンブリと、を含むことを特徴とする折り畳み端末。
【請求項１５】
前記二つの磁気吸引部材同士は、全部で貼り合わせられているか、又は部分的に貼り合わせられていることを特徴とする請求項１４に記載の折り畳み端末。  
【請求項１６】
少なくとも一つの前記磁気吸引部材は、間隔をあけて設けられる二つの貼り合わせ部を含み、もう一つの前記磁気吸引部材は、少なくとも一つの前記貼り合わせ部に貼り合わせられていることを特徴とすることが請求項１４又は１５に記載の折り畳み端末。  
【請求項１７】
少なくとも一つの前記磁気吸引部材が長尺状をなすことを特徴とする請求項１６に記載の折り畳み端末。  
【請求項１８】
少なくとも一つの前記磁気吸引部材が磁石であることを特徴とする請求項１４又は１５に記載の折り畳み端末。  
【請求項１９】
前記折り畳み端末は、それぞれ前記二つの磁気吸引部材と前記二つの磁気緩和部材との周面を取り囲んで設けられるとともに、電磁遮蔽を実現するための複数の強磁気遮蔽部材をさらに含むことを特徴とする請求項１４又は１５に記載の折り畳み端末。  
【請求項２０】
各前記強磁気遮蔽部材は、いずれも互いに嵌合して設けられる二つの鉄枠ケースと、前記二つの鉄枠ケースの間に設けられるフォームとを含むことを特徴とする請求項１９に記載の折り畳み端末。
【発明の詳細な説明】
【優先権情報】
【０００１】
本出願は、２０１５年１２月２９日に中国国家知識産権局に提出した特許発明名称が「折り畳み端末」、特許出願番号が２０１５１１０２６１６７.６である特許出願の優先権及び権益を主張するものであり、当該中国特許出願の全内容は、参照により本明細書に組み入れられる。
【技術分野】
【０００２】
本発明は、電子デバイス分野に関し、特に折り畳み端末に関する。  
【背景技術】
【０００３】
従来のスクリーンに比べ、フレキシブルスクリーンの優勢が明らかであり、体積上でより軽薄であるほか、電力消費上でも従来の素子より低く、デバイスの航続力の向上に寄与するとともに、湾曲可能で柔軟性が優れるという特性に基づき、その耐久性も従来のスクリーンより遥かに高く、デバイスの予想外の損傷確率の低下につながる。
【０００４】
従来技術において、折り畳み可能な折り畳み端末は折り畳むことができるため、使用者は、誤って激しく閉じがちである。これにより、折り畳み端末の折り畳まれた内面が衝突して破損する恐れがあり、折り畳み可能な折り畳み端末の信頼性が低減される。
【発明の概要】
【発明が解決しようとする課題】
【０００５】
本発明は、信頼性が高く、貼り合わせ状態を維持することができる折り畳み端末を提供することを目的とする。
【課題を解決するための手段】
【０００６】
上述した技術的課題を解決するために、本発明は  順次に接続される上部と、折り曲げ部と、下部とを含む本体と、前記上部に設けられ、前記折り曲げ部から離れる第１の磁気吸引部材と、前記下部に設けられ、前記折り曲げ部から離れる第２の磁気吸引部材とを含み、前記上部と前記下部との夾角が０度になる場合に、前記第１の磁気吸引部材が前記第２の磁気吸引部材に吸着される磁気吸引アセンブリと、前記上部に設けられ、前記折り曲げ部に近接される第１の磁気緩和部材と、前記下部に設けられ、前記折り曲げ部に近接される第２の磁気緩和部材とを含み、前記上部と前記下部との夾角が１８０度より大きいか、又は小さい場合に、前記第１の磁気緩和部材と前記第２の磁気吸引部材とが互いに反発する磁気緩和アセンブリと、を含む折り畳み端末を提供する。
【０００７】
本発明は、折り曲げ部と、前記折り曲げ部の対向する両側に接続される上部と下部とを含む本体と、前記上部の前記折り曲げ部から離れる一端及び前記下部の前記折り曲げ部から離れる一端にそれぞれ設けられるとともに、前記上部と前記下部との貼り合わせ状態を維持するための互いに吸引する二つの磁気吸引部材を含む磁気吸引アセンブリと、前記上部の前記折り曲げ部に近接される一端及び前記下部の前記折り曲げ部に近接される一端にそれぞれ設けられるとともに、前記上部と前記下部とが互いに接近する時に反発力を提供するための互いに反発する二つの磁気緩和部材を含む磁気緩和アセンブリと、を含むもう一つの折り畳み端末をさらに提供する。
【図面の簡単な説明】
【０００８】
本発明の技術案をより明確に説明するために、実施形態において使用する必要のある図面を以下に簡単に説明する。明らかに、以下の説明における図面は、単に本発明の一部の実施形態であり、当業者であれば、通常の創作能力で、これらの図面に基づいて他の図面も取得することができる。
【図１】本発明の実施形態が提供する折り畳み端末の概略図である。
【図２】図１に示す折り畳み端末の内部概略図である。
【図３】図２に示す折り畳み端末の第III部分の概略図である。
【図４】図１の折り畳み端末が第２の折り曲げ状態である概略図である。
【図５】図１の折り畳み端末が第３の折り曲げ状態である概略図である。
【図６】図４中の折り畳み端末の磁気吸引アセンブリが一つの接続位置に位置する概略図である。
【図７】図４中の折り畳み端末の磁気吸引アセンブリがもう一つの接続位置に位置する概略図である。
【図８】図１中の折り畳み端末の強磁気遮蔽アセンブリの概略図である。
【本発明を実施するための形態】
【０００９】
本発明の実施形態における技術案について、本発明の実施形態における図面を参照して以下に明確に完全に説明する。
【００１０】
本発明の実施例に係る折り畳み端末１００は、通信及び記憶する機能を備えるあらゆるデバイスであってもよく、例えば、タブレット、携帯電話、電子リーダ、リモコン、パーソナルコンピュータ（Ｐｅｒｓｏｎａｌ  Ｃｏｍｐｕｔｅｒ，ＰＣ）、パソコン、車載機器、ネットワークテレビ、ウェアラブル装置などのネットワーク機能を有するスマートデバイスである。
【００１１】
図１〜図５に示すように、本発明により提供される折り畳み端末１００は、本体１と、フレキシブルスクリーンアセンブリ２と、磁気吸引アセンブリ３と、磁気緩和アセンブリ４とを含む。本体１は、上部１１と、上部１１に電気的接続される下部１２とを含み、下部１２と上部１１との間に折り曲げ隙間１４が設けられている。
【００１２】
本体１は、順次に接続される上部１１と、折り曲げ部１３と、下部１２とを含み、本体１は、対向して設けられる上端と下端とを含む。上端は、上部１１の折り曲げ部１３から離れる一端であり、下端は、下部１２の折り曲げ部１３から離れる一端である。
【００１３】
フレキシブルスクリーンアセンブリ２は、本体１の表面に設けられている。
【００１４】
磁気吸引アセンブリ３は、第１の磁気吸引部材３１と、第２の磁気吸引部材３２とを含み、第１の磁気吸引部材３１は、上部１１に設けられ且つ上端に近接され（即ち、折り曲げ部１３から離れている）、第２の磁気吸引部材３２は、下部１２に設けられ且つ下端に近接されている（即ち、折り曲げ部１３から離れている）。上部１１と下部１２との夾角が０度になる場合には、第１の磁気吸引部材３１と第２の磁気吸引部材３２とが引き合う。
【００１５】
磁気緩和アセンブリ４は、第１の磁気緩和部材４１と第２の磁気緩和部材４２とを含み、第１の磁気緩和部材４１は、上部１１に設けられ、且つ折り曲げ部１３に近接されている。第２の磁気緩和部材４２は、下部１２に設けられ、且つ折り曲げ部１３に近接されている。上部１１と下部１２との夾角が１８０度より大きいか、又は小さい場合には、第１の磁気緩和部材４１と第２の磁気緩和部材４２とは、互いに反発する。
【００１６】
上部１１及び下部１２に第１の磁気緩和部材４１及び第２の磁気緩和部材４２がそれぞれ設けられているため、下部１２に対して上部１１が折り曲げられると、使用者は、直ちに第１の磁気緩和部材４１と第２の磁気緩和部材４２との間の反発力を感知することができ、折り畳み端末１００が誤って大きな力で折り畳まれることが防止され、折り畳み端末１００の信頼性が向上する。また、第１の磁気吸引部材３１及び第２の磁気吸引部材３２が、それぞれ上部１１と下部１２と的端部に設けられているため、上部１１と下部１２との夾角が０度になる場合には、第１の磁気吸引部材３１は、第２の磁気吸引部材３２に接続されて、折り畳み端末１００の折り曲げ状態が維持される。これにより、信頼性が比較的高く、貼り合わせ状態を維持することができる畳み型端末１００が提供される。
【００１７】
この実施例において、本体１は、上部１１と、折り曲げ部１３と、下部１２とを含む。上部１１及び下部１２は、ほぼ同一構成であるが、上部１１と下部１２との内部に集積された電子部品１１３が異なる点で相違する。ここで、上部１１を例とするが、下部１２の具体的な構成は、省略する。
【００１８】
上部１１は、矩形のハウジング１１１と、回路基板１１２と、電子部品１１３とを含む。電子部品１１３は、回路基板１１２に集積され、回路基板１１２は、矩形ハウジング１１１内に固定されている。上部１１は、離反して設けられる第１の上端１１ａと第１の下端１１ｂと、離反して設けられる第１の表面１１ｃと第２の表面１１ｄとを有し、第１の下端１１ｂに第１の開口が設けられて下部１２との電気的接続を容易にする。下部１２は、対向して設けられる第２の上端１２ａと第２の下端１２ｂと、離反して設けられる第３の表面１２ｃと第４の表面１２ｄとを有し、第２の上端１２ａに第２の開口が設けられている。
【００１９】
ここで、第１の表面１１ｃと第３の表面１２ｃは、本体１の同一側にあり、且つ同一面であって本体１の正面１ａを形成する。第２の表面１１ｄと第４の表面１２ｄは、同じく本体１の他側にあり、且つ同一面であって本体１の背面１ｂを形成する。下部１２は、上部１１に電気的に接続され、両者間に折り曲げ隙間１４が設けられて折り曲げ部１３との接続を容易にし、本体１を、第１の表面１１ｃが第３の表面１２ｃに貼り合わせられる折り曲げ状態、又は第２の表面１１ｄが第４の表面１２ｄに貼り合わせられる折り曲げ状態に折り曲げることができる。
【００２０】
好ましくは、図２及び図３に示すように、フレキシブル回路基板１１４の一端は、第１の開口に伸び込み、上部１１内の回路基板１１２に電気的接続され、フレキシブル回路基板１１４の他端は、第２の開口に伸び込み、下部１２の内部に電気的接続されることにより、上部１１と下部１２との電気的接続が実現され、上部１１と下部１２とは、一体化されるとともに、折り曲げ領域の折り曲げ性能が向上する。当然のことながら、他の実施例において、フレキシブル回路基板１１４に代えてフラットケーブルを用いてもよい。
【００２１】
さらに、折り曲げ部１３は、繰り返して折り曲げることができるようにするために、弾性材で製作されたシートである。シートに構成される折り曲げ部１３が、上部１１と下部１２との表面に設けられることにより、上部１１と下部１２とが０〜３６０度の開閉角度をなすようになる。ここで、折り曲げ部１３の構造が簡単であるため、折り畳み端末１００の組み立てが容易になる。
【００２２】
折り曲げ部１３は、軟質の金属シートであるのが好ましい。これにより、折り畳み端末１００の折り曲げ耐久性がさらに向上する。
【００２３】
具体的には、本体１の表面の平坦度をさらに向上させるために、折り曲げ部１３の外面と本体１の裏面１ｂとを同一面にしている。
【００２４】
折り曲げ部１３は、略帯状であり、折り曲げ部１３は、対向して設けられる上部接続部と下部接続部と含んでいる。上部接続部は、ネジにより上部１１の第１の下端１１ｂの内部に設けられ、下部接続部は、ネジにより下部１２の第２の上端１２ａの内部に設けられる。折り曲げ部１３が上部１１と下部１２との表面に接続される場合には、折り曲げ部１３の外面と本体１の背面１ｂとが同一面であることにより、本体１の表面の平坦度が向上する。折り曲げ部１３が弾性を有するとともに伸縮可能であるため、上部１１と下部１２との開閉角度は０〜３６０度となる。
【００２５】
以上により、折り畳み端末１００の折り曲げ状態は基本的に三つに分かれる。第１の折り曲げ状態Ａは、図１に示すように、上部１１と下部１２との開閉角度が１８０度になり、折り畳み端末１００が「一」状に形成されている。第２の折り曲げ状態Ｂは、図４に示すように、上部１１と下部１２との間の開閉角度が０度になり、本体１の正面１ａが折り畳み端末１００の折り曲げ時の折り曲げられた内面である。第３の折り曲げ状態Ｂは、図５に示すように、上部１１と下部１２との開閉角度が０度になり、本体１の背面１ｂが折り畳み端末１００の折り曲げ時の折り曲げられた内面である。当然のことながら、他の実施例において、折り曲げ部１３がシリカゲルシートであってよく、折り曲げ部１３が上部１１と下部１２との表面に貼り付けられる。折り曲げ部１３が弾性バンドなどであってもよい。
【００２６】
この実施例において、フレキシブルスクリーンアセンブリ２は、本体１の正面１ａに設けられている。フレキシブルスクリーンアセンブリ２は、タッチ機能を有し、フレキシブルスクリーンアセンブリ２で操作することにより、折り畳み端末１００とやり取りすることができる。
【００２７】
この実施例において、好ましくは、第１の磁気吸引部材３１が磁石である。第１の磁気吸引部材３１が上部１１の矩形のハウジング１１１内に固定され、且つ第１の上端１１ａに近接されるとともに、第１の表面１１ｃに近接され、即ち、フレキシブルスクリーンアセンブリ２に近接される。好ましくは、第２の磁気吸引部材３２が磁石である。第２の磁気吸引部材３２が下部１２の矩形のハウジング１１１内に固定され、且つ第２の下端１２ｂに近接されるとともに、第３の表面１２ｃに近接され、即ち、フレキシブルスクリーンアセンブリ２に近接される。
【００２８】
折り畳み端末１００が第２の折り曲げ状態Bに折り曲げられた場合には、第１の磁気吸引部材３１と第２の磁気吸引部材３２との間にある比較的強い磁力により、両者は引き合う。これにより、上部１１が下部１２に貼り合わせられるようになり、即ち、折り畳み端末１００の折り畳みが実現され、折り畳み端末１００のサイズが小さくなり、折り畳み端末１００の持ち運びが容易になる。
【００２９】
以上より、第１の磁気吸引部材３１及び第２の磁気吸引部材３２が、いずれも磁石で作製されることにより、磁気吸引アセンブリ３の接続性能をさらに高めることができる。
【００３０】
なお、第１の磁気吸引部材３１が磁石であり、第１の磁気吸引部材３１が上部１１の内部に設けられ、第２の磁気吸引部材３２が鉄であることとしてもよい。
【００３１】
なお、第１の磁気吸引部材３１が鉄であり、第１の磁気吸引部材３１が上部１１の内部に設けられ、第２の磁気吸引部材３２が磁石であり、第２の磁気吸引部材３２が下部１２の内部に設けられることとしてもよい。
【００３２】
好ましくは、第１の磁気吸引部材３１及び第２の磁気吸引部材３２が、それぞれ上部１１及び下部１２に貼り付けられる。この設置方式により、磁気吸引アセンブリ３の固定がさらに簡易になるとともに、磁気吸引アセンブリ３と折り畳み端末１００との接続強度が向上する。
【００３３】
この実施例において、第１の磁気緩和部材４１は、上部１１の矩形のハウジング１１１の内部に設けられ、且つ第１の下端１１ｂに近接され、第２の磁気緩和部材４２は、下部１２の内部に設けられ、且つ第２の上端１２ａに近接される。折り畳み端末１００が第１の折り曲げ状態Aから第２の折り曲げ状態B又は第３の折り曲げ状態Ｃに変更された場合には、使用者は、磁気緩和アセンブリ４同士間の反発力により、折り畳み端末１００を閉じる。これにより、使用者が誤って大きな力で折り畳み端末１００を閉じることによって上部１１と下部１２とが衝突して折り畳み端末１００が破損される恐れが低減され、折り畳み端末１００の信頼性がさらに向上する。
【００３４】
好ましくは、第１の磁気緩和部材４１及び第２の磁気緩和部材４２が、それぞれ上部１１及び下部１２に貼り付けられる。この設置方式により、磁気緩和アセンブリ４の固定がさらに簡易になるとともに、磁気緩和アセンブリ４と折り畳み端末１００との接続強度が向上する。
【００３５】
よりさらに改善するために、第１の磁気吸引部材３１及び第２の磁気吸引部材３２をいずれも長尺状とするか、又は第１の磁気吸引部材３１を長尺状とし、第２の磁気吸引部材３２を円柱状とすることとしてもよい。
【００３６】
この実施例において、図６及び図７に示すように、第１の磁気吸引部材３１及び第２の磁気吸引部材３２がいずれも長尺状であるため、第１の磁気吸引部材３１と第２の磁気吸引部材３２とを位置合わせする場合の難度がさらに低減される。図６に示すように、第１の磁気吸引部材３１は、第１の上端１１ａから第１の下端１１ｂに延びる方向に沿って対向して設けられる第１の貼り合わせ部３１ａと第２の貼り合わせ部３１ｂとを含み、第２の磁気吸引部材３２は、第２の上端１２ａから第２の下端１２ｂに延びる方向に沿って対向して設けられる第３の貼り合わせ部３２ａと第４の貼り合わせ部３２ｂとを含む。本体１の折り曲げ形状を変更することにより、第２の貼り合わせ部３１ｂを第３の貼り合わせ部３２ａに磁気的貼り合わせるか、又は、図７に示すように、第１の貼り合わせ部３１ａを第４の貼り合わせ部３２ｂに磁気的貼り合わせるなどとしてもよい。当然のことながら、他の実施例において、第１の磁気吸引部材３１を長尺状とし、第２の磁気吸引部材３２を円柱状としてもよい。
【００３７】
よりさらに改善するために、第１の磁気緩和部材４１及び第２の磁気緩和部材４２をいずれも長尺状とするか、又は第１の磁気緩和部材４１を長尺状とし、第２の磁気緩和部材４２を円柱状とする。
【００３８】
この実施例において、第１の磁気緩和部材４１及び第２の磁気緩和部材４２がいずれも長尺状となすため、第１の磁気緩和部材４１と第２の磁気緩和部材４２とを位置合わせる難度がさらに低減される。当然のことながら、他の実施例において、第１の磁気緩和部材４１を長尺状とし、第２の磁気緩和部材４２を円柱状としてもよい。
【００３９】
よりさらに改善するために、図８に示すように、折り畳み端末１００は、四つの強磁気遮蔽部材５をさらに含み、四つの強磁気遮蔽部材５は、それぞれ第１の磁気吸引部材３１と、第２の磁気吸引部材３２と、第１の磁気緩和部材４１と、第２の磁気緩和部材４２との周面を取り囲んで設けられていることとしてもよい。
【００４０】
第１の磁気吸引部材３１と、第２の磁気吸引部材３２と、第１の磁気緩和部材４１と、第２の磁気緩和部材４２との周面にそれぞれ強磁気遮蔽部材５が設けられることにより、折り畳み端末１００のハウジング内の他の電子部品１１３に対する磁気吸引アセンブリ３と磁気緩和アセンブリ４との影響がさらに低減される。
【００４１】
この実施例において、好ましくは、折り畳み端末１００のハウジング内の他の電子部品１１３に対する磁気吸引アセンブリ３の影響をさらに低減するために、強磁気遮蔽部材５は、二つの鉄枠ケース５１と、フォーム５２とを含む。一方の鉄枠ケース５１は、他方の鉄枠ケース５１内に嵌め込まれ、二つの鉄枠ケース５１の間には充填隙間が設けられ、フォーム５２が充填隙間に挟まれている。具体的には、二つの鉄枠ケース５１は、同一形状であるが、両者はサイズのみが相違しており、一方が比較的小さく、他方が比較的大きい。これにより、比較的小さい鉄枠ケース５１が比較的大きい鉄枠ケース５１内に配置された後、二つの鉄枠ケース５１の周面間にフォーム５２を充填する充填隙間が形成されるようになる。強磁気遮蔽部材５の強磁気遮蔽性をさらに高めるために、鉄枠ケース５１の壁肉厚を０.５ｍｍとし、充填隙間を１０ｍｍとするのが好ましい。四つの強磁気遮蔽部材５が、それぞれ第１の磁気吸引部材３１と、第２の磁気吸引部材３２と、第１の磁気緩和部材４１と第２の磁気緩和部材４２との周面に設けられることにより、磁気吸引部材と磁気緩和部材との磁気による折り畳み端末１００内の電子部品１１３、例えば、羅針盤又は重力センサへの影響はなくなる。当然のことながら、他の実施例において、強磁気遮蔽部材５が防磁カバーであり、四つの強磁気遮蔽部材５は、それぞれ第１の磁気吸引部材、第２の磁気吸引部材、第１の磁気緩和部材及び第２の磁気緩和部材に設けられることにより、折り畳み端末１００のハウジング内の他の電子部品１１３に対する磁気吸引アセンブリ３と磁気緩和アセンブリ４との影響がさらに低減される。
【００４２】
折り畳み端末１００が使用される場合には、第１の磁気吸引部材３１と第２の磁気吸引部材３２との磁気吸引力を克服し、下部１２に対して上部１１が１８０度（少なくとも０度より大きく）に折り曲げられ、フレキシブルスクリーンアセンブリ２をクリックしてタッチすることにより、折り畳み端末１００とやり取りする。折り畳み端末１００を使用せず、折り畳み端末１００のフレキシブルスクリーンアセンブリ２を露出させたくない場合には、折り畳み端末１００が第２の折り曲げ状態Bとなるようにすることができる。ここで、折り畳み端末１００が折り曲げられる過程において、磁気緩和アセンブリ４同士が互いに反発することにより、使用者に注意を喚起して、磁気緩和アセンブリ４同士間の反発力を常に克服しながら、第１の磁気吸引部材３１が第２の磁気吸引部材３２に磁気的吸着されて、折り畳み端末１００が常に第２の折り曲げ状態Bに維持される。折り畳み端末１００を使用せず、折り畳み端末１００のフレキシブルスクリーンアセンブリ２を露出させたい場合には、本体１を折り曲げ、折り畳み端末１００が第３の折り曲げ状態Ｃとなるようにする。
【００４３】
本発明により提供される折り畳み端末１００は、上部１１及び下部１２にそれぞれ第１の磁気緩和部材４１及び第２の磁気緩和部材４２が設けられることにより、下部１２に対して上部１１が折り曲げられると、使用者は、直ちに第１の磁気緩和部材４１と第２の磁気緩和部材４２との間の反発力を感知することができ、折り畳み端末１００が誤って閉じられることが防止され、折り畳み端末１００の信頼性が向上する。また、第１の磁気吸引部材３１及び第２の磁気吸引部材３２がそれぞれ上部１１と下部１２との端部に設けられることにより、上部１１と下部１２との夾角が０度になる場合には、第１の磁気吸引部材３１が第２の磁気吸引部材３２に接続されて、折り畳み端末１００の折り曲げ状態が維持される。これにより、信頼性が比較的高く、貼り合わせ状態を維持することができる折り畳み端末１００が提供される。
【００４４】
本発明により提供される折り畳み端末１００は、折り曲げ部１３の外面と本体１の背面１ｂとを同一面にすることにより、本体１の表面の平坦度がさらに向上する。
【００４５】
本発明により提供される折り畳み端末１００は、さらに、磁気吸引アセンブリ３と磁気緩和アセンブリ４との周面にそれぞれ強磁気遮蔽部材５が設けられることにより、折り畳み端末１００のハウジング内の他の電子部品１１３に対する磁気吸引アセンブリ３と磁気緩和アセンブリ４との影響がさらに低減される。
【００４６】
以上、本発明の好ましい実施形態について説明したが、当業者であれば、本発明の趣旨を逸脱しない範囲において、いくつかの改良及び変形を行うことができる。これらの改良及び変形も本発明の保護範囲と見なされる。
【図１】
2019507406.tif 000003
【図２】
2019507406.tif 000004
【図３】
2019507406.tif 000005
【図４】
2019507406.tif 000006
【図５】
2019507406.tif 000007
【図６】
2019507406.tif 000008
【図７】
2019507406.tif 000009
【図８】
2019507406.tif 000010
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
順次に接続される上部と、折り曲げ部と、下部と、を含む本体と、
前記上部に設けられ、前記折り曲げ部から離れる第１の磁気吸引部材と、前記下部に設けられ、前記折り曲げ部から離れる第２の磁気吸引部材と、を含む磁気吸引アセンブリと、
前記上部に設けられ、前記折り曲げ部に近接される第１の磁気緩和部材と、前記下部に設けられ、前記折り曲げ部に近接される第２の磁気緩和部材と、を含む磁気緩和アセンブリと、を含むことを特徴とする折り畳み端末
【請求項２】
前記折り畳み端末は、前記本体の表面に設けられるフレキシブルスクリーンアセンブリをさらに含み、
前記磁気吸引アセンブリ及び／又は前記磁気緩和アセンブリは、前記本体に貼り付けられていることを特徴とする請求項１に記載の折り畳み端末。
【請求項３】
前記第１の磁気吸引部材は、間隔をあけて設けられている第１の貼り合わせ部と第２の貼り合わせ部と、を含み、
前記第２の磁気吸引部材は、前記第１の貼り合わせ部及び／又は前記第２の貼り合わせ部に貼り合わせられていることを特徴とする請求項１に記載の折り畳み端末。
【請求項４】
前記第１の磁気吸引部材が長尺状をなすことを特徴とする請求項３に記載の折り畳み端末。
【請求項５】
前記第２の磁気吸引部材は、間隔をあけて設けられる第３の貼り合わせ部と第４の貼り合わせ部とを含み、
前記第１の磁気吸引部材は、前記第３の貼り合わせ部及び／又は前記第４の貼り合わせ部に貼り合わせられていることを特徴とする請求項１又は３に記載の折り畳み端末。
【請求項６】
前記折り畳み端末は、それぞれ前記第１の磁気吸引部材と、前記第２の磁気吸引部材と、前記第１の磁気緩和部材と、前記第２の磁気緩和部材との周面を取り囲んで設けられる四つの強磁気遮蔽部材と、をさらに含み、
前記強磁気遮蔽部材は、フォームと二つの鉄枠ケースとを含み、
一つの前記鉄枠ケースが、もう一つの前記鉄枠ケース内に嵌め込まれ、
前記フォームが、前記二つの鉄枠ケースの間に挟まれるか、又は、
前記強磁気遮蔽部材が防磁カバーであることを特徴とする請求項１に記載の折り畳み端末。
【請求項７】
前記上部と前記下部との間にフラットケーブルが設けられるか、又は、
前記上部と前記下部との間にフレキシブル回路基板が設けられていることを特徴とする請求項１に記載の折り畳み端末。
【請求項８】
前記折り曲げ部がシートであり、前記折り曲げ部が上部と下部との間に接続され、前記折り曲げ部と前記フレキシブルスクリーンアセンブリとが離反して設けられていることを特徴とする請求項２に記載の折り畳み端末。
【請求項９】
前記折り曲げ部の外面と、前記上部及び前記下部の表面とが同一面であることを特徴とする請求項８に記載の折り畳み端末。
【請求項１０】
折り曲げ部と、前記折り曲げ部の対向する両側に接続される上部と下部とを含む本体と、
前記上部の前記折り曲げ部から離れる一端及び前記下部の前記折り曲げ部から離れる一端にそれぞれ設けられるとともに、前記上部と前記下部との貼り合わせ状態を維持するための互いに吸引する二つの磁気吸引部材を含む磁気吸引アセンブリと、
前記上部の前記折り曲げ部に近接される一端及び前記下部の前記折り曲げ部に近接される一端にそれぞれ設けられるとともに、前記上部と前記下部とが互いに接近する時に反発力を提供するための互いに反発する二つの磁気緩和部材を含む磁気緩和アセンブリと、を含むことを特徴とする折り畳み端末。
【請求項１１】
前記二つの磁気吸引部材同士は、全部で貼り合わせられているか、又は部分的に貼り合わせられていることを特徴とする請求項１０に記載の折り畳み端末。
【請求項１２】
少なくとも一つの前記磁気吸引部材は、間隔をあけて設けられる二つの貼り合わせ部を含み、もう一つの前記磁気吸引部材は、少なくとも一つの前記貼り合わせ部に貼り合わせられていることを特徴とすることが請求項１０又は１１に記載の折り畳み端末。
【請求項１３】
前記折り畳み端末は、それぞれ前記二つの磁気吸引部材と前記二つの磁気緩和部材との周面を取り囲んで設けられるとともに、電磁遮蔽を実現するための複数の強磁気遮蔽部材をさらに含むことを特徴とする請求項１０又は１１に記載の折り畳み端末。
【請求項１４】
各前記強磁気遮蔽部材は、いずれも互いに嵌合して設けられる二つの鉄枠ケースと、前記二つの鉄枠ケースの間に設けられるフォームとを含むことを特徴とする請求項１３に記載の折り畳み端末。
【手続補正２】
【補正対象書類名】明細書
【補正対象項目名】０００５
【補正方法】変更
【補正の内容】
【０００５】
本発明は、折り畳み端末を提供する。
【手続補正３】
【補正対象書類名】明細書
【補正対象項目名】０００６
【補正方法】変更
【補正の内容】
【０００６】
本発明は、順次に接続される上部と、折り曲げ部と、下部とを含む本体と、前記上部に設けられ、前記折り曲げ部から離れる第１の磁気吸引部材と、前記下部に設けられ、前記折り曲げ部から離れる第２の磁気吸引部材とを含む磁気吸引アセンブリと、前記上部に設けられ、前記折り曲げ部に近接される第１の磁気緩和部材と、前記下部に設けられ、前記折り曲げ部に近接される第２の磁気緩和部材とを含む磁気緩和アセンブリと、を含む折り畳み端末を提供する。
【手続補正４】
【補正対象書類名】明細書
【補正対象項目名】００１１
【補正方法】変更
【補正の内容】
【００１１】
図１〜図５に示すように、本発明により提供される折り畳み端末１００は、本体１と、フレキシブルスクリーンアセンブリ２と、磁気吸引アセンブリ３と、磁気緩和アセンブリ４とを含む。本体１は、上部１１と、上部１１に接続される下部１２とを含み、下部１２と上部１１との間に折り曲げ隙間１４が設けられている。
【手続補正５】
【補正対象書類名】明細書
【補正対象項目名】００４２
【補正方法】変更
【補正の内容】
【００４２】
折り畳み端末１００が使用される場合には、第１の磁気吸引部材３１と第２の磁気吸引部材３２との磁気吸引力を克服し、下部１２に対して上部１１が１８０度（少なくとも０度より大きく）に折り曲げられ、フレキシブルスクリーンアセンブリ２をクリックしてタッチすることにより、折り畳み端末１００とやり取りする。折り畳み端末１００を使用せず、折り畳み端末１００のフレキシブルスクリーンアセンブリ２を露出させたくない場合には、折り畳み端末１００が第２の折り曲げ状態Bとなるようにすることができる。ここで、折り畳み端末１００が折り曲げられる過程において、磁気緩和アセンブリ４の第１磁気緩和部材４１と第２の磁気緩和部材４２との間で反発することにより、使用者に注意を喚起して、磁気緩和アセンブリ４の第１磁気緩和部材４１と第２の磁気緩和部材４２との間の反発力を常に克服しながら、第１の磁気吸引部材３１が第２の磁気吸引部材３２に磁気的吸着されて、折り畳み端末１００が常に第２の折り曲げ状態Bに維持される。折り畳み端末１００を使用せず、折り畳み端末１００のフレキシブルスクリーンアセンブリ２を露出させたい場合には、本体１を折り曲げ、折り畳み端末１００が第３の折り曲げ状態Ｃとなるようにする。
【国際調査報告】
2019507406.tif 000011
2019507406.tif 000012
2019507406.tif 000013
2019507406.tif 000014